(57)【特許請求の範囲】
【請求項１】
映像データを異なる複数の表示手段に出力可能な出力手段と、
複数のフォントデザインそれぞれの個別文字データを多重化した多重文字データを記憶する記憶手段と、
前記出力手段により映像データを出力する出力先の表示手段に応じて、前記多重文字データから、前記複数のフォントデザインのいずれかの個別文字データを分離する分離手段とを有し、
前記出力手段は、前記分離手段により分離された前記個別文字データを含む映像データを、前記出力先の表示手段に出力し、
前記個別文字データ及び前記多重文字データはビットマップデータであって、前記個別文字データは各ドットについてドットの有無を示す情報を有し、前記多重文字データは、各ドットについて、前記複数のフォントデザインの前記個別文字データの前記ドットの有無の組み合わせの情報を有し、
前記多重文字データの有する前記組み合わせの情報は、少なくとも第１の値、第２の値、第３の値、第４の値を含む値のうちいずれかにより表され、
前記分離手段は、前記多重文字データのうち、前記第１の値及び前記第３の値で表されるドットを第１の前記個別文字データのドット有部分として分離し、前記多重文字データのうち、前記第２の値及び前記第３の値で表されるドットを第２の前記個別文字データのドット有部分として分離することを特徴とする表示制御装置。
【請求項２】
前記分離手段により分離された前記個別文字データを、映像データに重畳する重畳手段を更に有し、前記出力手段は、前記重畳手段によって前記個別文字データが重畳された映像データを前記出力先の表示手段に出力することを特徴とする請求項１に記載の表示制御装置。
【請求項３】
前記分離手段は、前記複数の表示手段にそれぞれ対応する複数の処理部を有することを特徴とする請求項１または２に記載の表示制御装置。
【請求項４】
前記複数の表示手段は外部表示装置を含み、
前記出力手段に、前記外部表示装置が接続されているか否かを判別する判別手段を更に有し、
前記分離手段は、前記外部表示装置が接続されている場合に、前記多重文字データから、前記複数のフォントデザインの内、前記外部表示装置に対応付けられたフォントデザインの個別文字データを分離することを特徴とする請求項１乃至３のいずれか１項に記載の表示制御装置。
【請求項５】
前記複数の表示手段は前記表示制御装置に含まれる表示手段を含み、
前記分離手段は、前記外部表示装置が接続されていない場合に、前記多重文字データから、前記複数のフォントデザインの内、前記表示制御装置に含まれる表示手段に対応付けられたフォントデザインの個別文字データを分離することを特徴とする請求項４に記載の表示制御装置。
【請求項６】
被写体を撮像して映像データを出力する撮像手段を更に有し、
前記出力手段は、前記撮像手段で撮像された映像データとともに前記分離手段により分離された前記個別文字データを出力することを特徴とする請求項１乃至５のいずれか１項に記載の表示制御装置。
【請求項７】
映像データを異なる複数の表示手段に出力する出力手段と、複数のフォントデザインそれぞれの個別文字データを多重化した多重文字データを記憶する記憶手段とを有する表示制御装置の制御方法であって、
分離手段により、前記出力手段により映像データを出力する出力先の表示手段に応じて、前記多重文字データから、前記複数のフォントデザインのいずれかの個別文字データを分離する分離工程と、
前記出力手段により、前記分離工程で分離された前記個別文字データを含む映像データを、前記出力先の表示手段に出力する出力工程とを有し、
前記個別文字データ及び前記多重文字データはビットマップデータであって、前記個別文字データは各ドットについてドットの有無を示す情報を有し、前記多重文字データは、各ドットについて、前記複数のフォントデザインの前記個別文字データの前記ドットの有無の組み合わせの情報を有し、
前記多重文字データの有する前記組み合わせの情報は、少なくとも第１の値、第２の値、第３の値、第４の値を含む値のうちいずれかにより表され、
前記分離工程では、前記多重文字データのうち、前記第１の値及び前記第３の値で表されるドットを第１の前記個別文字データのドット有部分として分離し、前記多重文字データのうち、前記第２の値及び前記第３の値で表されるドットを第２の前記個別文字データのドット有部分として分離することを特徴とする表示制御装置の制御方法。
【請求項８】
コンピュータを、請求項１乃至４のいずれか１項に記載の表示制御装置の各手段として機能させるためのプログラム。
【請求項９】
コンピュータを、請求項１乃至４のいずれか１項に記載の表示制御装置の各手段として機能させるためのプログラムを格納したコンピュータが読み取り可能な記憶媒体。
【発明の詳細な説明】
【技術分野】
【０００１】
本発明は表示制御装置、表示制御装置の制御方法、プログラム及び記録媒体に関し、更に詳しくは、文字を含む映像を出力する表示制御装置、表示制御方法、プログラム及び記録媒体に関する。
【背景技術】
【０００２】
デジタルビデオカメラ、デジタルカメラなど、本体に表示パネルを持ちながら、家庭のテレビやＰＣなどの表示装置にも接続可能な機器の普及が進んでいる。そのような表示装置においては、ハイビジョン対応や静止画の解像度の向上、表示装置の大型化が進んでいることもあり、画像と共に表示される文字情報の品位向上は必須の課題である。
【０００３】
一方で、デジタルビデオカメラやデジタルカメラは小型化が進んでおり、それに伴い本体に付属する表示パネルの大きさも小型化の傾向にある。表示パネルは、その大きさなどに応じて画面全体の水平走査ラインを間引いて表示する形式のものが多いが、その場合、間引きラインを考慮した文字デザインを行わないと横のラインが消えてしまう現象が生じる。小型化された表示パネルでは間引きの割合が大きく、必然的に表示する文字のデザインはある程度太さを確保したものとならざるを得ない。このデザインのフォントが表示される画面をそのまま大画面テレビに出力した場合、不必要に太いラインの文字が表示されてしまう。そのため、フォントデザインを複数記憶し、出力先に応じて異なるフォントによる文字表示を行う製品が市場に登場している。
【０００４】
また、全く異なるフォントデザインを記憶するのではなく、複数のフォントデザインを出力する技術も提案されている。特許文献１では、複数種の文字フォントデータの和のデータと、各フォントデザインを特徴づける差のデータを複数持ち、和のデータから各フォントの差のデータを差し引く事で異なるフォントデザインで表示を行う。この技術では、各文字のデザインサイズが同じであるため、異なる表示出力先に対してレイアウトを共通化すること、また文字列データの共通化によるＲＯＭ容量削減が可能となる。さらに、出力先に応じてある程度フォントの太さを変更することが可能となるため、表示出力先の解像度にあまり差のない場合には有効である。
【先行技術文献】
【特許文献】
【０００５】
【特許文献１】特開平０９−０１６１４８号公報
【発明の概要】
【発明が解決しようとする課題】
【０００６】
しかし、上述したように、表示出力先毎に異なるデザインのフォントセットを記憶し、出力先毎に表示を行う従来のシステムでは、複数のフォントセットを別個に記憶しなければならない。また、同じ文字を別のデザインで表示する場合にはそれぞれのフォントデザインデータを呼び出す必要があるため、処理負荷が重い。また、それぞれのフォントデザインが異なるため、各表示画面毎のレイアウト構成を別個に構築する必要があり、各表示出力先毎の動作確認負荷が大きくなってしまう。
【０００７】
また、特許文献１のように、和のデータと、各フォントデザインを特徴づける差のデータを複数持ち、異なるフォントデザインで表示を行う技術の場合、レイアウトの共通化は可能となるものの、以下のような問題があった。即ち、各表示出力先に表示するフォントデザインの基本形（和のデータ）は同じである。そのため、解像度が極端に異なる表示パネルと大画面テレビに、最適な線幅を保持したまま視認性の高いフォントデザインを全文字で（特に漢字などの画数の多いもの）両立させるのは困難である。また、和のデータに対して差のデータを差し引く処理が必要であるため、処理負荷が重い。
【０００８】
本発明は上記問題点を鑑みてなされたものであり、複数の表示出力先毎に最適なフォントデザインの文字を表示すると共に、表示の際の処理負荷を軽減し、更に表示出力先毎の表示位置調整を軽減することを目的とする。
【課題を解決するための手段】
【０００９】
上記目的を達成するために、本発明の表示制御装置は、映像データを異なる複数の表示手段に出力可能な出力手段と、複数のフォントデザインそれぞれの個別文字データを多重化した多重文字データを記憶する記憶手段と、前記出力手段により映像データを出力する出力先の表示手段に応じて、前記多重文字データから、前記複数のフォントデザインのいずれかの個別文字データを分離する分離手段とを有し、前記出力手段は、前記分離手段により分離された前記個別文字データを含む映像データを、前記出力先の表示手段に出力し、前記個別文字データ及び前記多重文字データはビットマップデータであって、前記個別文字データは各ドットについてドットの有無を示す情報を有し、前記多重文字データは、各ドットについて、前記複数のフォントデザインの前記個別文字データの前記ドットの有無の組み合わせの情報を有し、前記多重文字データの有する前記組み合わせの情報は、少なくとも第１の値、第２の値、第３の値、第４の値を含む値のうちいずれかにより表され、前記分離手段は、前記多重文字データのうち、前記第１の値及び前記第３の値で表されるドットを第１の前記個別文字データのドット有部分として分離し、前記多重文字データのうち、前記第２の値及び前記第３の値で表されるドットを第２の前記個別文字データのドット有部分として分離する。
【発明の効果】
【００１０】
本発明によれば、複数の表示出力先毎に最適なフォントデザインの文字を表示すると共に、表示の際の処理負荷を軽減し、更に表示出力先毎の表示位置調整を軽減することができる。
【図面の簡単な説明】
【００１１】
【図１】第１の実施形態におけるデジタルビデオカメラの構成の一例を示すブロック図。
【図２】第１の実施形態における異なるフォントデザイン情報を多重化して得られるデータを説明するための図。
【図３】第１の実施形態における多重化されたフォントデザインデータを１画面分の文字情報重畳用メモリエリアに書き込んだ場合の書き込み例。
【図４】第１の実施形態における出力用カラーパレット処理部で行われる色情報付加処理を示すフローチャート。
【図５】第１の実施形態におけるＬＣＤ用カラーパレット処理部で行われる色情報付加処理を示すフローチャート。
【図６】（ａ）はＬＣＤの画面上に映像に文字情報が重畳された結果の一例を示す図、（ｂ）は出力部より出力された映像に文字情報が重畳された結果の一例を示す図。
【図７】第２の実施形態におけるデジタルビデオカメラの構成の一例を示すブロック図。
【図８】第２の実施形態におけるカラーパレット処理部で行われる色情報付加処理を示すフローチャート。
【発明を実施するための形態】
【００１２】
以下、添付図面を参照して本発明を実施するための最良の形態を詳細に説明する。
【００１３】
＜第１の実施形態＞
図１は、本発明の第１の実施形態におけるデジタルビデオカメラの構成の一例を示すブロック図である。
【００１４】
１０１は、撮影を行うためのカメラ部であり、カメラ部１０１により被写体を撮像して取り込まれた映像データは映像用ＳＤＲＡＭ１０５に一旦記憶される。また、再生モードにおいては、システム制御部１０２はメディア記録部１１１に接続された不図示の記録媒体に記録された映像データを読み出し、映像用ＳＤＲＡＭに一旦記憶する。一方、映像データと共に画面表示される文字情報に関しては、先ず、情報記憶部１０３から文字を表示するためのドット形式のデザインデータ（ビットマップデータ）を読み出す。そして、読み出したデザインデータを画像重畳用データ作成部１０４で１画面分のデータに展開し、重畳データ用ＳＤＲＡＭ１０６に一旦記憶する。重畳データ用ＳＤＲＡＭ１０６に記憶された重畳用データは、出力用カラーパレット処理部１０７を介して、加算器１１３により映像用ＳＤＲＡＭ１０５から出力される映像データと重畳され、出力部１０９に出力される。一方、重畳データ用ＳＤＲＡＭ１０６に記憶された重畳用データは、ＬＣＤ用カラーパレット処理部１０８を介して加算器１１４により映像用ＳＤＲＡＭ１０５から出力される映像データと重畳され、ＬＣＤ１１０にて表示が行われる。重畳対象である映像用ＳＤＲＡＭ１０５から出力される映像データは、カメラ部１０１で撮像された映像データである場合もあるし、メディア記録部１１１を介して読み出して再生された記録済みの映像データである場合もある。
【００１５】
また、カメラ部１０１で撮像されて映像用ＳＤＲＡＭ１０５に記憶された映像データは、メディア記録部１１１にも送られて記録、再生される。また、記録再生などの操作をユーザーが行うために操作用スイッチ部１１２が設けられており、操作用スイッチ部１１２からの入力に応じて、システム制御部１０２は映像の記録再生、表示を制御する。情報記憶部１０３は各種情報が記憶されているＲＯＭであり、システム制御部１０２によって実行されるプログラムコードなどが記憶されている。システム制御部１０２は、情報記憶部１０３に記憶されたプログラムを読み出して不図示の作業用ＲＡＭに展開して実行することで、デジタルビデオカメラの各部の制御を行う。
【００１６】
図２（ａ）は、本発明の第１の実施形態における文字データ（多重文字データ）のビットマップデータ構成状態の例を示す。ここでは、文字「Ｔ」を例に挙げて説明し、文字サイズは、縦９ドット、横９ドットとする。各ドットは２ビットの情報量を持ち、０〜３の値が付加されている。この図２（ａ）に示す文字データは、２つのフォントデザインの文字データ（個別文字データ）を多重化したもので、一方のフォントデザイン１のドットの有無を図２（ｂ）に、もう一方のフォントデザイン２のドットの有無を図２（ｃ）に示す。図２（ａ）の各ドットに付加されている数値は、図２（ｂ）、（ｃ）に示す２つのフォントデザイン１（第１の個別文字データ）及び２（第２の個別文字データ）の重なりの状態を示し、
０：フォントデザイン１、２共に背景（第４の値）
１：フォントデザイン１は文字本体（文字色、またはドット有部分）、フォントデザイン２は背景（背景色）（第１の値）
２：フォントデザイン１は背景、フォントデザイン２は文字本体（文字色、またはドット有部分）（第２の値）
３：フォントデザイン１，２共に文字本体（文字色、またはドット有部分）（第３の値）
【００１７】
となっている。
この図２（ａ）に示すフォントデザインを実際に記憶する場合には、各ドットに対し２ビットの情報と、縦、横の幅情報、このデータが何の文字を示すのかを表すデザインデータ名がセットとなって記憶される。
【００１８】
システム制御部１０２の制御により、表示する文字情報を画像重畳用データ作成部１０４が受け取ると、該当する文字のデザインデータを、重畳データ用ＳＤＲＡＭ１０６に確保されている１画面分の表示データ記憶領域上の所定の位置に展開処理する。展開の様子を図３に示す。即ち、図２（ａ）に示すデザインデータ（多重文字データ）を、縦ａドット、横ｂドットの１画面分の重畳用データの記憶エリア上の所定の位置にコピーする。その他の文字情報も同様の処理によって記憶エリア上にコピーする。その後、作成が終了した１画面分の重畳用データは、出力用カラーパレット処理部１０７及びＬＣＤ用カラーパレット処理部１０８にて色情報を付加され、映像データに重畳される。
【００１９】
図４は、出力用カラーパレット処理部１０７で行われる色情報付加処理を示すフローチャートである。この処理は、システム制御部１０２が、情報記憶部１０３に記憶されたプログラムを読み出して不図示の作業用ＲＡＭに展開して実行し、出力用カラーパレット処理部１０７を制御することにより実現する。
【００２０】
処理がスタートすると、図３に示す１画面分の重畳用データの横の座標を示すｘと縦の座標を表すｙの値を０にリセットする（Ｓ１０１）。リセットされた（ｘ、ｙ）＝（０，０）は、１画面分の重畳用データの左上端を示すものとする。そして、Ｓ１０２から縦方向の０ライン目からａ−１ライン目までのループ処理が開始される。Ｓ１０２では、ｙ＜ａか否か、すなわち、ｙが１画面分の重畳用データの一番下まで達しているか否かを判定する。ｙ＜ａ、すなわちｙが１画面分の重畳用データエリアの一番下まで達していないと判定すると、Ｓ１０３へ進む。
【００２１】
Ｓ１０３から横方向の０列目からｂ−１列目までのループ処理が行われる。Ｓ１０３では、ｘ＜ｂか、すなわち、ｘが１画面分の重畳用データの一番右まで達しているか否かを判定する。ｘ＜ｂでない、すなわちｘが１画面分の重畳用データエリアの一番右まで達したと判定するとＳ１０６へ進み、ｘを０にリセットすると共に、ｙをインクリメントして次の行の処理へ進む。一方、ｘ＜ｂ、すなわちｘが１画面分の重畳用データエリアの一番右まで達していないと判定するとＳ１０４へ進む。
【００２２】
Ｓ１０４、Ｓ１０８、Ｓ１１０では、多重化された文字データのうち、（ｘ、ｙ）のドットに付加されている数値が何であるかを判定する。Ｓ１０４で値が０であると判定すると、そのドットを背景色に設定する（Ｓ１０５）。Ｓ１０８で値が１であると判定すると、そのドットを黒色（文字色）に設定する（Ｓ１０９）。Ｓ１１０で値が２であると判定すると、そのドットを背景色に設定する（Ｓ１１１）。Ｓ１１０で値が２でないと判定すると、値が３であることを意味するので、そのドットを黒（文字色）に設定する（Ｓ１１２）。なお、Ｓ１０５、Ｓ１０９、Ｓ１１１、Ｓ１１２での「設定する」とは、その色を付加する処理である。その後Ｓ１０７でｘをインクリメントし、同じ行の次の列のドットの処理へ進む。そして、Ｓ１０２でｙ＜ａでない、すなわち、ｙが１画面分の重畳用データエリアの一番下まで達したと判定すると、全ドットの処理が終了したことを意味し、パレット処理を終了する。
【００２３】
出力用カラーパレット処理部１０７が上記の様にして文字色と背景色とを付加することで、文字データが図２（ａ）である場合、図２（ｂ）に示すような文字を示す重畳用データ（個別文字データ）を分離することができる。そして、このようにして分離された重畳用データは、加算器１１３により映像用ＳＤＲＡＭ１０５から出力される映像データと重畳され、対応する出力部１０９に出力される。
【００２４】
図５は、ＬＣＤ用カラーパレット処理部１０８で行われる色情報付加処理を示すフローチャートである。なお、図４に示す処理と同様の処理には同じステップ番号を付し、説明を省略する。図５に示す処理と図４に示す処理と異なる点は、図２（ａ）に示すように各ドットに付加されている数値に対して、付加される色が異なることである。ＬＣＤ用カラーパレット処理部１０８は、ドットに付加されている数値が０である場合は（Ｓ１０４でＹＥＳ）、Ｓ２０５でそのドットを背景色に設定する。ドットに付加されている数値が１である場合には（Ｓ１０８でＹＥＳ）、Ｓ２０７でそのドットを背景色に設定する。また、ドットに付加されている数値が２である場合には（Ｓ１１０でＹＥＳ）、Ｓ２１１でそのドットを黒色（文字色）に設定する。また、ドットに付加されている数値が３である場合は（Ｓ１１０でＮＯ）、Ｓ２１２でそのドットを黒色（文字色）に設定する。
【００２５】
ＬＣＤ用カラーパレット処理部１０８が上記の様にして文字色と背景色とを付加することで、文字データが図２（ａ）である場合、図２（ｃ）に示すような文字を示す重畳用データ（個別文字データ）を分離することができる。そして、このようにして分離された重畳用データは、加算器１１４により映像用ＳＤＲＡＭ１０５から出力される映像データと重畳され、対応するＬＣＤ１１０に出力される。
【００２６】
ここで、図４と図５にて背景色と記載しているものについては、完全透明色、透過率を含んだ色設定も含むものであり、背景に画像があった場合にも背景の画像を認識できるように設定することが可能である。また、文字色として黒色を例に挙げているが、これはカラーパレットの設定により他の色とすることも可能である。
【００２７】
また、この処理はＬＣＤや表示出力先において表示画面のリフレッシュが行われる周期に同期しており、毎周期新たに重畳用データが重畳データ用ＳＤＲＡＭ１０６上に展開され、重畳処理が行われる。
【００２８】
図６（ａ）は、以上の処理を経てＬＣＤ１１０の画面上に表示された、映像と文字情報の重畳結果の一例を示すものである。また、図６（ｂ）は、出力部１０９より出力された、映像と文字情報の重畳結果の一例を示すものである。このように、図６（ａ）、（ｂ）共に、映像の同じ位置に文字情報が重畳されているが、異なるフォントデザインとなっていることが分かる。
【００２９】
上記の通り本第１の実施形態によれば、２つのフォントデザインを多重した文字データを用いることで、同じ文字を呼び出すための文字列データの共有化やデータ作成処理の共有化が可能となるため、記憶容量及び処理負荷を削減することができる。さらに、映像に重畳する際には、多重化されたフォントデザインを各フォントデザインに分離することが可能であるため、表示出力先に適したフォントデザインの文字表記が可能になる。さらに、異なるフォントデザインで別々の表示出力先に文字を表示した場合にも、画面上の表示開始位置を同じに設定すれば同じ文字表示エリア内に表示が行われることになるので、出力先毎の表示位置調整負荷を軽減することができる。
【００３０】
＜第２の実施形態＞
次に、本発明の第２の実施形態について説明する。図７は、本発明の第２の実施形態におけるデジタルビデオカメラの構成の一例を示すブロック図である。
【００３１】
２０１は、撮影を行うためのカメラ部であり、カメラ部２０１で取り込まれた映像データは映像用ＳＤＲＡＭ２０５に一旦記憶される。一方、映像データと共に画面表示される文字情報に関しては、情報記憶部２０３から文字を表示するためのドット形式のデザインデータを読み出し、画像重畳用データ作成部２０４で１画面分のデータに展開する。そして展開したデータを各種表示先用の重畳データ用ＳＤＲＡＭ２０６に一旦記憶する。システム制御部２０２は、これらの処理を制御すると共に、外部表示出力を行う出力部２０９と接続され、外部表示装置３００と接続されたかを監視する。このシステム制御部２０２による外部表示装置３００と接続されているかどうかの外部表示装置３００接続判別結果に応じて、重畳データ用ＳＤＲＡＭ２０６に記憶された重畳用データは、カラーパレット処理部２０７によって色情報が付加される。システム制御部２０２は、外部表示装置接続判別結果に応じて、重畳用データ付き映像データを、出力部２０９に出力するのか、ＬＣＤ２１０に出力するのかを出力先選択部２１４により制御する。外部表示装置３００の接続時には出力部２０９側へ、接続されていない場合には、ＬＣＤ２１０側へ表示処理を行う。なお、ここで重畳される文字データのデータ構成は、第１の実施形態で図２を参照して説明したものと同様である。
【００３２】
また、映像用ＳＤＲＡＭ２０５に記憶された映像データは、メディア記録部２１１にも送られて記録、再生される。また、記録再生などの操作をユーザーが行うために操作用スイッチ部２１２が設けられており、操作用スイッチ部２１２からの入力に応じて、システム制御部２０２は映像の記録再生、表示を制御する。
【００３３】
次に、本第２の実施形態におけるカラーパレット処理部２０７で行われる色情報付加処理について、図８のフローチャートを参照して説明する。
【００３４】
処理をスタートすると、出力先ステータスに変更があったかを判別する（Ｓ３０１）。この出力先ステータスの変更の判別では、外部表示装置３００との接続状態を判別し、外部表示装置３００と接続された、あるいは接続が切断された場合に、ステータスの変更があったと判別する。出力先ステータスに変更があった場合には、現在画像情報に重畳されている重畳用データや画面出力先を大きく変更することになるため、一旦画面リセット処理を行い、ミュート画面出力などにより画面の乱れを防止し（Ｓ３０２）、Ｓ３０３へ進む。
【００３５】
一方、Ｓ３０１で出力先ステータスに変更が無ければＳ３０３に進み、外部表示装置３００に接続されているかどうかを判別し（Ｓ３０３）、接続されている場合には図４に示す色情報付加処理を行う（Ｓ３０４）。一方、接続されていない場合には、図５に示す色情報付加処理を行い（Ｓ３０５）、処理を終了する。この処理により、外部表示装置３００が接続されていれば、文字データが図２（ａ）である場合、外部表示装置に対応付けられた図２（ｂ）に示すような文字を示す重畳用データが得られる。また、接続されていなければ、ＬＣＤ２１０に対応付けられた図２（ｃ）に示すような文字を示す重畳用データが得られる。
【００３６】
上記の通り本第２の実施形態によれば、第１の実施形態と同様の効果を得ることができる。
【００３７】
なお、上述したシステム制御部１０２及び２０２の制御は、１つのハードウェアが行ってもよいし、複数のハードウェアが処理を分担することで、装置全体の制御を行ってもよい。
【００３８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３９】
また、上述した実施形態においては、本発明をデジタルビデオカメラに適用した場合を例にして説明したが、これはこの例に限定されない。すなわち、本発明はパーソナルコンピュータやＰＤＡ、携帯電話端末や携帯型の画像ビューワ、プリンタ装置に設けられた印刷画像選択および確認のためのディスプレイ、デジタルフォトフレームなど、画素数の異なる複数の表示装置に画像を出力可能な表示制御装置であれば適用可能である。
【００４０】
また、上述した実施形態においては、２つのフォントデザインを多重した文字データを用いる場合について説明したが、多重するフォントデザインは２つに限られるものではなく、３つ以上の複数のフォントデザインを多重することも可能である。その場合、ドットについて、３ビット以上の必要な情報量を持たせるようにすればよい。
【００４１】
＜他の実施形態＞
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005629476.tif 000002
【図２】
0005629476.tif 000003
【図３】
0005629476.tif 000004
【図４】
0005629476.tif 000005
【図５】
0005629476.tif 000006
【図６】
0005629476.tif 000007
【図７】
0005629476.tif 000008
【図８】
0005629476.tif 000009